(57)【要約】      （修正有）【課題】男性の早漏を防止又は軽減するための器具を提供し、ペニスの周囲にフィットするリングを備えている。このリングは感覚を鈍化させるための三角形状の細片を有しており、この細片がペニスに対して支持される。更に上記リングは、ペニスに接触するビード加工面を有している。この器具を着用することで、感覚の鈍化が図られる。  【解決手段】隙間隔離を有するペニス補佐リングは、男性のペニスに使用されるためのブッシユ補佐リングであって、補佐リングの内部直径に対向する箇所に夫々にペニス上部に位置される輸血管とその下部の輸精管に押し上げる機能を果たす凸部が上記凸部の中央に細い溝を形成して設置されている構造を有する。【選択図】図２
0003122791.tif 000002
【実用新案登録請求の範囲】
【請求項１】
（公序良俗違反につき、不掲載）
【請求項２】
上記補佐リングがシリコン類、プラスチック類、ゴム類、金属類或いはセラミックス類などの材料から構成されることを特徴とする請求項1に記載する隙間隔離を有するペニス補佐リング。
【請求項３】
（公序良俗違反につき、不掲載）
【考案の詳細な説明】
【技術分野】
【０００１】
本考案は隙間隔離を有するペニス補佐リングに関し、特に、男性のペニスに使用されるための補佐リング構造に関し、セックスの時間延長に寄与すると共に、男性の陰萎を向上する。
【背景技術】
【０００２】
なお、審査により今までは、許可された特許の第324209号公告―「スクス機能補佐リング」があり、（図１に示すように、従来の前案の図面により）、上記前案は実体であって弾性があるリング（１０）であり、上記リング（１０）の材質がシリコンから構成され、リング（１０）の内部の底部にリング（１０）内部に向けて突起され凸部（２０）が形成され、これにより、上記リングを、大きくするペニス上に被せる場合は、リング（１０）の凸部（２０）が直接にペニス底部の血管（４１）に押され、ペニスにおけるスポンジ体内の血液の回流スピートが血管の圧迫で緩和の逆流を生じさせるようにし、ペニスにおけるスポンジ体に充血する時間を長くでき、陰萎があって心理障害が生じる問題の男性を治療できる。上記前案のリング（１０）の凸部（２０）が直接にペニス底部の血管（４１）に押されることから見れば、以下のような欠点があった。上記リング（１０）が弾性材料のシリコンから構成され、使用される場合は縛り状態を呈し、このように、縛り方式によりペニスを縛ると、リングに位置される凸部が押し上げられ、こうして、ペニスの不快を招き、ペニスが充血する際に、組織細胞を容易に壊死してしまう。更に、その内部直径には凸部が設置されたので、その一端のみに圧迫の効果がある。このような構造にはペニスが輸血管と輸精管が２本ある構成と考えていない。輸血管のみに押し上げられるが、ペニスの輸血管が圧迫されて血液を対流させない状況と考えてない場合は血管の内部圧力を大きく高め、予期できない危険を招くようにする。
【０００３】
また、上記前案の図1に示したように、上記リング（１０）の上端表面が凸部（２０）に対応する箇所に、突起部（３０）が設置され、且つ、上記突起部（３０）の表面に略張り出する突起螺旋ライン（３１）が形成され、上記突起部（３０）と突起螺旋ライン（３１）に矩形の突起部（３０）と複数の矩形ブロックの突起螺旋ライン（３１）を実施でき、なお、上記突起部（３０）がその一側に傾斜弧度面が形成されてもよく、上記傾斜弧度面に複数の星型の突起螺旋ライン（３１）が突設される。突起部（３０）と突起螺旋ライン（３１）の設計についてペニスを被せるのに用いられる場合は、リング（１０）の突起部（３０）と突起螺旋ライン（３１）が女性の陰核に近接させるから、使用際に、突起部（３０）と突起螺旋ライン（３１）により陰核を摩擦し、男性の陰萎患者における自信作りを高め、心理の治療効果を図る。
【０００４】
前案の記載した突起部（３０）と突起部（３０）表面が張り出された突起螺旋ライン（３１）の設計から見ると、上記が上への突起部（３０）の設計は間違い設計と分かる。なぜなら、リング（１０）がペニスに被せられ、陰核とは嵌めると、リング（１０）の突起部（３０）がペニスと平行し突設され、こうして、
陰核に押し上げられる作用があり、陰核の摩擦の動作を行う。しかし、上への突起部（３０）は如何に有効に陰核の点に押し上げるを図り、且つ、この発明は上記突起部（３０）側面の傾斜弧度面が突設された複数星型の突起螺旋ライン（３１）により陰核に押し上げ、摩擦する。確かに設計では欠点がある創作であり、ここでは指摘する。
【考案の開示】
【考案が解決しようとする課題】
【０００５】
男性の早漏を防止又は軽減するための器具を提供し、ペニスの周囲にフィットするリングを備えている。このリングは感覚を鈍化させるための三角形状の細片を有しており、この細片がペニスに対して支持される。更に上記リングは、ペニスに接触するビード加工面を有している。この器具を着用することで、感覚の鈍化が図られる。
【課題を解決するための手段】
【０００６】
以上の記述したように、本考案の主な目的は以下の５点がある。
（一）、本考案は自然に精液と血液を阻止し、ペニスの支持力を延長させ、隙間隔離を有するペニス補佐リング構造を提供することにある。上記隙間隔離を有するペニス補佐リング構造は圧迫の方法でペニスにおけるスポンジの充血量が緩和できると共に、閉鎖できなく、ペニスの支持力を長くする状態を達成することを本考案の特徴とする。
【０００７】
（二）、本考案は気持ちであって隙間隔離を有する閉鎖精液のペニス補佐リング構造を有効に提供することにある。なぜなら、補佐リングにおける内部直径に対向するそれぞれ点に凸部が設置され、この２個凸部の中央箇所に細い溝が設けられ、上記細い溝の機能の一は十分な血液の循環対流を流暢にさせ、精液を閉鎖させ、射出の速度を低下させ、精液の逆流を発生することはない。これにより、精液を閉鎖できると共に、有効に精液と血液を対流させる目的を図ることを本考案の特徴とする。
【０００８】
（三）、本考案は安全であって男性のセックス欲を回復させる隙間隔離を有するペニス補佐リング構造を提供することにある。ペニスの硬度時間とペニスのスポンジ体の充血硬度が夫妻の満足度を影響することについて夫妻間の大事である。しかし、食べ物により腎臓を強化する他に、セックス機能補佐機器を合わせるいうでもない。従って、本考案に係る隙間隔離を有するペニス補佐リング構造は安全性の機能を有することを本考案の特徴とする。
【０００９】
（四）、本考案はペニスにおける重点部に押し上げする隙間隔離を有するペニス補佐リング構造を提供することにある。主にはペニスの輸血管と輸精管に対して細い隙間隔離を利用し閉鎖し、ペニスの全てを縛ることではないため、ペニスを快感させると共に、充血の逆流量を限定することを達し、精液を細い隙間隔離を有させ、射出し難く精液を閉鎖できない効果を図ることを本考案の特徴とする。
【００１０】（公序良俗違反につき、不掲載）
【考案の効果】
【００１１】
本考案は、感覚の敏感化を軽減し、それにより早漏癖を軽減させる効果を呈する。
【実施例】
【００１２】
まず、図２、３を参照すると、本考案の傾斜、正面断面を示す図。補佐リング（１）の内部直径に対向する箇所のそれぞれに、突起部（２）、（３）が設置され、上記突起部（２）、（３）の中央部に細い溝（２０）、（３０）が掘られ、その突起部（２）、（３）の作用が上下にペニス（４）の上部輸血管（４１）と下部輸精管（４２）に押上げることにある（図４を参照し）。上記補佐リング（１）の内部上下に対向する突起部（２）、（３）の中央細い溝（２０）、（３０）がペニス（４）の上部輸血管（４１）と下部輸精管（４２）に押上げられる際に、余計な空間を有し、上部輸血管（４１）と下部輸精管（４２）を隙間により対流効果が生じさせ、血液と精液の射出を避ける。確かに精液の閉鎖と精液の射出速度に寄与し、且つ、有効にペニスにおけるスポンジ体の充血逆流時間を遅延でき、ひいては男性のセックス時間、回数、及びペニスの硬度を高める。この隙間隔離を有するペニス補佐リング構造は男性の健康のために発明された。
【００１３】
前記したように、本考案の補佐リング（１）内部に設けられる突起部（２）、（３）は分離式の構造であり（図３に示すように）、一体的により形成されてもよい（図４に示すように）。
図５は本考案に係る実施例をペニスに被せるを示す正面実施例断面図。補佐リング（１）は男性のペニス（４）からペニスの左右部部に向けって貼り付け、補佐リングの内部直径に対向する凸部は、ペニス上部に位置される輸血管（４１）とその下部の輸精管（４２）に押し上げられ、リング内部の上下のそれぞれの二対の凸部（２）、（３）における中央細い溝（２０）、（３０）がペニス上部の輸血管（４１）とその下部の輸精管（４２）に押し上げされる際に余裕な空気があり、上部の輸血管と下部の輸精管に残留される血液と精液を対流させ、精液の閉鎖、射出の緩衝力を図ることができ、実際に抵抗力を有すると共に、閉鎖生じない問題を持つ。
【００１４】（公序良俗違反につき、不掲載）【００１５】（公序良俗違反につき、不掲載）
【図面の簡単な説明】
【００１６】
【図１】第324209号公告に記載される図1である。
【図２】本考案に係る傾斜の略図である。
【図３】本考案に係る正面断面図である。
【図４】本考案の別の一実施例に係る正面断面図である。
【図５】本考案がペニスに作用される正面実施例の断面図である。
【図６】本考案に係る第二実施例の傾斜略図である。
【図７】本考案に係る第二実施例の傾斜分解略図である。
【図８】本考案に係る第二実施例の正面断面図である。
【図９】本考案の第二実施例の構造がペニス上に被せる正面実施例断面図である。
【符号の説明】
【００１７】１        補佐リング２        突起部３        突起部２０      細い溝３０      細い溝４        ペニス４１      上部輸血管４２      下部輸精管５      （公序良俗違反につき、不掲載）５０    （公序良俗違反につき、不掲載）５１    （公序良俗違反につき、不掲載）５２    （公序良俗違反につき、不掲載）５２０  （公序良俗違反につき、不掲載）６      （公序良俗違反につき、不掲載）
【図１】
0003122791.tif 000003
【図２】
0003122791.tif 000004
【図３】
0003122791.tif 000005
【図４】
0003122791.tif 000006
【図５】
0003122791.tif 000007
【図６】
0003122791.tif 000008
【図７】
0003122791.tif 000009
【図８】
0003122791.tif 000010
【図９】
0003122791.tif 000011
【手続補正書】
【提出日】平成17年12月27日(2005.12.27)
【手続補正１】
【補正対象書類名】実用新案登録請求の範囲
【補正対象項目名】全文
【補正方法】変更
【補正の内容】
【実用新案登録請求の範囲】
【請求項１】
環状体の内部直径に対向する箇所にそれぞれ凸部が設置され、上記凸部の中央には環状体を横切る隙間隔離機能を発揮する細い溝が設置されていることを特徴とする隙間隔離を有するペニス補佐リング。
【請求項２】
上記ペニス補佐リングがシリコン類、プラスチック類、ゴム類、金属類或いはセラミックス類などの材料から構成されることを特徴とする請求項1に記載する隙間隔離を有するペニス補佐リング。
【手続補正２】
【補正対象書類名】明細書
【補正対象項目名】００１０
【補正方法】変更
【補正の内容】
【００１０】
本考案は、感覚の敏感化を軽減し、それにより早漏癖を軽減させる効果を呈する。
【手続補正３】
【補正対象書類名】明細書
【補正対象項目名】００１１
【補正方法】変更
【補正の内容】
【００１１】
まず、図２、３を参照すると、本考案の傾斜、正面断面を示す図。補佐リング（１）の内部直径に対向する箇所のそれぞれに、突起部（２）、（３）が設置され、上記突起部（２）、（３）の中央部に細い溝（２０）、（３０）が掘られ、その突起部（２）、（３）の作用が上下にペニス（４）の上部輸血管（４１）と下部輸精管（４２）に押上げることにある（図４を参照し）。上記補佐リング（１）の内部上下に対向する突起部（２）、（３）の中央細い溝（２０）、（３０）がペニス（４）の上部輸血管（４１）と下部輸精管（４２）に押上げられる際に、余計な空間を有し、上部輸血管（４１）と下部輸精管（４２）を隙間により対流効果が生じさせ、血液と精液の射出を避ける。確かに精液の閉鎖と精液の射出速度に寄与し、且つ、有効にペニスにおけるスポンジ体の充血逆流時間を遅延でき、ひいては男性のセックス時間、回数、及びペニスの硬度を高める。この隙間隔離を有するペニス補佐リング構造は男性の健康のために発明された。
【手続補正４】
【補正対象書類名】明細書
【補正対象項目名】００１２
【補正方法】変更
【補正の内容】
【００１２】
前記したように、本考案の補佐リング（１）内部に設けられる突起部（２）、（３）は分離式の構造であり（図３に示すように）、一体的により形成されてもよい（図４に示すように）。
図５は本考案に係る実施例をペニスに被せるを示す正面実施例断面図。補佐リング（１）は男性のペニス（４）からペニスの左右部部に向けって貼り付け、補佐リングの内部直径に対向する凸部は、ペニス上部に位置される輸血管（４１）とその下部の輸精管（４２）に押し上げられ、リング内部の上下のそれぞれの二対の凸部（２）、（３）における中央細い溝（２０）、（３０）がペニス上部の輸血管（４１）とその下部の輸精管（４２）に押し上げされる際に余裕な空気があり、上部の輸血管と下部の輸精管に残留される血液と精液を対流させ、精液の閉鎖、射出の緩衝力を図ることができ、実際に抵抗力を有すると共に、閉鎖生じない問題を持つ。
【手続補正５】
【補正対象書類名】明細書
【補正対象項目名】００１３
【補正方法】変更
【補正の内容】
【００１３】
【図１】第324209号公告に記載される図1である。
【図２】本考案に係る傾斜の略図である。
【図３】本考案に係る正面断面図である。
【図４】本考案の別の一実施例に係る正面断面図である。
【図５】本考案がペニスに作用される正面実施例の断面図である。
【手続補正６】
【補正対象書類名】明細書
【補正対象項目名】００１４
【補正方法】変更
【補正の内容】
【００１４】
１        補佐リング
２        突起部
３        突起部
２０      細い溝
３０      細い溝
４        ペニス
４１      上部輸血管
４２      下部輸精管
【手続補正７】
【補正対象書類名】図面
【補正対象項目名】図１
【補正方法】変更
【補正の内容】
【図１】
0003122791.tif 000012
【手続補正８】
【補正対象書類名】図面
【補正対象項目名】図２
【補正方法】変更
【補正の内容】
【図２】
0003122791.tif 000013
【手続補正９】
【補正対象書類名】図面
【補正対象項目名】図３
【補正方法】変更
【補正の内容】
【図３】
0003122791.tif 000014
【手続補正１０】
【補正対象書類名】図面
【補正対象項目名】図４
【補正方法】変更
【補正の内容】
【図４】
0003122791.tif 000015
【手続補正１１】
【補正対象書類名】図面
【補正対象項目名】図５
【補正方法】変更
【補正の内容】
【図５】
0003122791.tif 000016
【手続補正書】
【提出日】平成18年3月23日(2006.3.23)
【手続補正１】
【補正対象書類名】実用新案登録請求の範囲
【補正対象項目名】全文
【補正方法】変更
【補正の内容】
【実用新案登録請求の範囲】
【請求項１】
環状体の内部直径に対向する箇所にそれぞれ凸部が設置され、上記凸部の中央には環状体を横切る隙間隔離機能を発揮する細い溝が設置されていることを特徴とする隙間隔離を有するペニス補佐リング。
【請求項２】
上記ペニス補佐リングがシリコン類、プラスチック類、ゴム類、金属類或いはセラミックス類などの材料から構成されることを特徴とする請求項1に記載する隙間隔離を有するペニス補佐リング。
【手続補正２】
【補正対象書類名】明細書
【補正対象項目名】全文
【補正方法】変更
【補正の内容】
【考案の詳細な説明】
【技術分野】
【０００１】
本考案は隙間隔離を有するペニス補佐リングに関し、特に、男性のペニスに使用されるための補佐リング構造に関し、セックスの時間延長に寄与すると共に、男性の陰萎を向上する。
【背景技術】
【０００２】
なお、審査により今までは、許可された特許の第324209号公告―「スクス機能補佐リング」があり、（図１に示すように、従来の前案の図面により）、上記前案は実体であって弾性があるリング（１０）であり、上記リング（１０）の材質がシリコンから構成され、リング（１０）の内部の底部にリング（１０）内部に向けて突起され凸部（２０）が形成され、これにより、上記リングを、大きくするペニス上に被せる場合は、リング（１０）の凸部（２０）が直接にペニス底部の血管（４１）に押され、ペニスにおけるスポンジ体内の血液の回流スピートが血管の圧迫で緩和の逆流を生じさせるようにし、ペニスにおけるスポンジ体に充血する時間を長くでき、陰萎があって心理障害が生じる問題の男性を治療できる。上記前案のリング（１０）の凸部（２０）が直接にペニス底部の血管（４１）に押されることから見れば、以下のような欠点があった。上記リング（１０）が弾性材料のシリコンから構成され、使用される場合は縛り状態を呈し、このように、縛り方式によりペニスを縛ると、リングに位置される凸部が押し上げられ、こうして、ペニスの不快を招き、ペニスが充血する際に、組織細胞を容易に壊死してしまう。更に、その内部直径には凸部が設置されたので、その一端のみに圧迫の効果がある。このような構造にはペニスが輸血管と輸精管が２本ある構成と考えていない。輸血管のみに押し上げられるが、ペニスの輸血管が圧迫されて血液を対流させない状況と考えてない場合は血管の内部圧力を大きく高め、予期できない危険を招くようにする。
【０００３】
また、上記前案の図1に示したように、上記リング（１０）の上端表面が凸部（２０）に対応する箇所に、突起部（３０）が設置され、且つ、上記突起部（３０）の表面に略張り出する突起螺旋ライン（３１）が形成され、上記突起部（３０）と突起螺旋ライン（３１）に矩形の突起部（３０）と複数の矩形ブロックの突起螺旋ライン（３１）を実施でき、なお、上記突起部（３０）がその一側に傾斜弧度面が形成されてもよく、上記傾斜弧度面に複数の星型の突起螺旋ライン（３１）が突設される。突起部（３０）と突起螺旋ライン（３１）の設計についてペニスを被せるのに用いられる場合は、リング（１０）の突起部（３０）と突起螺旋ライン（３１）が女性の陰核に近接させるから、使用際に、突起部（３０）と突起螺旋ライン（３１）により陰核を摩擦し、男性の陰萎患者における自信作りを高め、心理の治療効果を図る。
【０００４】
前案の記載した突起部（３０）と突起部（３０）表面が張り出された突起螺旋ライン（３１）の設計から見ると、上記が上への突起部（３０）の設計は間違い設計と分かる。なぜなら、リング（１０）がペニスに被せられ、陰核とは嵌めると、リング（１０）の突起部（３０）がペニスと平行し突設され、こうして、
陰核に押し上げられる作用があり、陰核の摩擦の動作を行う。しかし、上への突起部（３０）は如何に有効に陰核の点に押し上げるを図り、且つ、この発明は上記突起部（３０）側面の傾斜弧度面が突設された複数星型の突起螺旋ライン（３１）により陰核に押し上げ、摩擦する。確かに設計では欠点がある創作であり、ここでは指摘する。
【考案の開示】
【考案が解決しようとする課題】
【０００５】
男性の早漏を防止又は軽減するための器具を提供し、ペニスの周囲にフィットするリングを備えている。このリングは感覚を鈍化させるための三角形状の細片を有しており、この細片がペニスに対して支持される。更に上記リングは、ペニスに接触するビード加工面を有している。この器具を着用することで、感覚の鈍化が図られる。
【課題を解決するための手段】
【０００６】
以上の記述したように、本考案の主な目的は以下の５点がある。
（一）、本考案は自然に精液と血液を阻止し、ペニスの支持力を延長させ、隙間隔離を有するペニス補佐リング構造を提供することにある。上記隙間隔離を有するペニス補佐リング構造は圧迫の方法でペニスにおけるスポンジの充血量が緩和できると共に、閉鎖できなく、ペニスの支持力を長くする状態を達成することを本考案の特徴とする。
【０００７】
（二）、本考案は気持ちであって隙間隔離を有する閉鎖精液のペニス補佐リング構造を有効に提供することにある。なぜなら、補佐リングにおける内部直径に対向するそれぞれ点に凸部が設置され、この２個凸部の中央箇所に細い溝が設けられ、上記細い溝の機能の一は十分な血液の循環対流を流暢にさせ、精液を閉鎖させ、射出の速度を低下させ、精液の逆流を発生することはない。これにより、精液を閉鎖できると共に、有効に精液と血液を対流させる目的を図ることを本考案の特徴とする。
【０００８】
（三）、本考案は安全であって男性のセックス欲を回復させる隙間隔離を有するペニス補佐リング構造を提供することにある。ペニスの硬度時間とペニスのスポンジ体の充血硬度が夫妻の満足度を影響することについて夫妻間の大事である。しかし、食べ物により腎臓を強化する他に、セックス機能補佐機器を合わせるいうでもない。従って、本考案に係る隙間隔離を有するペニス補佐リング構造は安全性の機能を有することを本考案の特徴とする。
【０００９】
（四）、本考案はペニスにおける重点部に押し上げする隙間隔離を有するペニス補佐リング構造を提供することにある。主にはペニスの輸血管と輸精管に対して細い隙間隔離を利用し閉鎖し、ペニスの全てを縛ることではないため、ペニスを快感させると共に、充血の逆流量を限定することを達し、精液を細い隙間隔離を有させ、射出し難く精液を閉鎖できない効果を図ることを本考案の特徴とする。
【考案の効果】
【００１０】
本考案は、感覚の敏感化を軽減し、それにより早漏癖を軽減させる効果を呈する。
【実施例】
【００１１】
まず、図２、３を参照すると、本考案の傾斜、正面断面を示す図。補佐リング（１）の内部直径に対向する箇所のそれぞれに、突起部（２）、（３）が設置され、上記突起部（２）、（３）の中央部に細い溝（２０）、（３０）が掘られ、その突起部（２）、（３）の作用が上下にペニス（４）の上部輸血管（４１）と下部輸精管（４２）に押上げることにある（図４を参照し）。上記補佐リング（１）の内部上下に対向する突起部（２）、（３）の中央細い溝（２０）、（３０）がペニス（４）の上部輸血管（４１）と下部輸精管（４２）に押上げられる際に、余計な空間を有し、上部輸血管（４１）と下部輸精管（４２）を隙間により対流効果が生じさせ、血液と精液の射出を避ける。確かに精液の閉鎖と精液の射出速度に寄与し、且つ、有効にペニスにおけるスポンジ体の充血逆流時間を遅延でき、ひいては男性のセックス時間、回数、及びペニスの硬度を高める。この隙間隔離を有するペニス補佐リング構造は男性の健康のために発明された。
【００１２】
前記したように、本考案の補佐リング（１）内部に設けられる突起部（２）、（３）は分離式の構造であり（図３に示すように）、一体的により形成されてもよい（図４に示すように）。
図５は本考案に係る実施例をペニスに被せるを示す正面実施例断面図。補佐リング（１）は男性のペニス（４）からペニスの左右部部に向けって貼り付け、補佐リングの内部直径に対向する凸部は、ペニス上部に位置される輸血管（４１）とその下部の輸精管（４２）に押し上げられ、リング内部の上下のそれぞれの二対の凸部（２）、（３）における中央細い溝（２０）、（３０）がペニス上部の輸血管（４１）とその下部の輸精管（４２）に押し上げされる際に余裕な空気があり、上部の輸血管と下部の輸精管に残留される血液と精液を対流させ、精液の閉鎖、射出の緩衝力を図ることができ、実際に抵抗力を有すると共に、閉鎖生じない問題を持つ。
【図面の簡単な説明】
【００１３】
【図１】第324209号公告に記載される図1である。
【図２】本考案に係る傾斜の略図である。
【図３】本考案に係る正面断面図である。
【図４】本考案の別の一実施例に係る正面断面図である。
【図５】本考案がペニスに作用される正面実施例の断面図である。
【符号の説明】
【００１４】
１        補佐リング
２        突起部
３        突起部
２０      細い溝
３０      細い溝
４        ペニス
４１      上部輸血管
４２      下部輸精管
５０      先端
５１      鋸歯状突起螺旋ライン
５２      下端凸部ベース
５２０    止めピン
６        止め孔
【手続補正３】
【補正対象書類名】図面
【補正対象項目名】全図
【補正方法】変更
【補正の内容】
【図１】
0003122791.tif 000017
【図２】
0003122791.tif 000018
【図３】
0003122791.tif 000019
【図４】
0003122791.tif 000020
【図５】
0003122791.tif 000021